(57)【要約】【課題】間欠的に線順次走査を行う場合に、画質の低下を抑える。【解決手段】表示装置は、走査信号が印加される複数の走査信号線を有する表示部と、入力されたシフト信号を一時的に保持し、中断期間を有するクロック信号に同期して、該シフト信号を次段へ順次伝達するシフト動作を行う複数段の転送回路を有し、シフト信号を保持する転送回路に対応する走査信号線へ走査信号を出力するシフトレジスタと、クロック信号の中断期間に、シフト信号を保持する転送回路に該シフト信号の電位を保持するための電位保持信号を伝達する信号線と、を備える。【選択図】図８
2014182203.tif 000002
【特許請求の範囲】
【請求項１】
走査信号が印加される複数の走査信号線を有する表示部と、
入力されたシフト信号を一時的に保持し、中断期間を有するクロック信号に同期して、該シフト信号を次段へ順次伝達するシフト動作を行う複数段の転送回路を有し、前記シフト信号を保持する転送回路に対応する走査信号線へ前記走査信号を出力するシフトレジスタと、
前記クロック信号の前記中断期間に、前記シフト信号を保持する転送回路に該シフト信号の電位を保持するための電位保持信号を伝達する信号線と、
を含む表示装置。
【請求項２】
前記複数段の転送回路は、前記中断期間に前記シフト信号を保持することがある段に配置される第１転送回路と、前記中断期間に前記シフト信号を保持することがない段に配置される第２転送回路と、を含む請求項１に記載の表示装置。
【請求項３】
前記転送回路は、前段の転送回路が出力する前記シフト信号および前記電位保持信号によって前記電位が設定され、かつ、設定された前記電位が次段の転送回路が出力するシフト信号によって解除されるラッチ部と、前記ラッチ部によって保持される前記電位によってオン状態になり、前記クロック信号を前記シフト信号として出力する第１スイッチ部とを備え、
前記ラッチ部は、前記電位保持信号が入力されている期間において、電流リーク経路の電位を当該電位保持信号によって保つ請求項１または２に記載の表示装置。
【請求項４】
前記転送回路は、前段の転送回路が出力する前記シフト信号によってオン状態になって前記ラッチ部に前記電位を設定するための第２スイッチ部と、後段の転送回路が出力するシフト信号によってオン状態になって前記ラッチ部に設定されている前記電位を解除する第３スイッチ部とを備え、
前記ラッチ部は、前記電位保持信号によって前記第２スイッチ部を介して前記電位が設定されている期間において、前記第３スイッチ部を通る電流リーク経路の電位を当該電位保持信号によって保つ請求項３に記載の表示装置。
【請求項５】
前記電位保持信号が立ち上がるタイミングは、前記クロック信号が立ち上がるタイミングより遅く設定されている、請求項１から請求項４までのいずれか１項に記載の表示装置。
【請求項６】
前記第１転送回路の数は複数であり、
前記信号線は、前記第１転送回路毎に設けられる請求項１から請求項５までのいずれか１項に記載の表示装置。
【請求項７】
接触または近接を検出するタッチセンサ部をさらに備え、
前記クロック信号の中断期間は、前記タッチセンサ部が前記接触または前記近接を検出するための期間として設定されている、請求項１から請求項６までのいずれか１項に記載の表示装置。
【請求項８】
請求項１から７のいずれか一項に記載の表示装置と、
前記表示装置に入力信号を供給する制御装置と、を有する電子機器。
【発明の詳細な説明】
【技術分野】
【０００１】
本開示は、画像を表示する表示装置、およびそのような表示装置を備えた電子機器に関する。
【背景技術】
【０００２】
近年、表示装置は、画質や消費電力などの観点から、液晶表示装置、プラズマ表示装置、有機ＥＬ表示装置などの様々な種類のものが開発されており、それらの特性に応じて、据置型の表示装置の他、携帯電話、携帯型情報端末など、様々な電子機器に適用されている。
【０００３】
表示装置は、一般に、線順次走査を行うことにより画像を表示する（例えば、特許文献１および特許文献２）。具体的には、例えば液晶表示装置では、まず、走査線信号駆動回路（ゲートドライバ）が、マトリックス状に配置された画素のうちの１行（１水平ライン）を表示駆動の対象として選択する。そして、信号線駆動回路（ソースドライバ）が、その選択された画素に対して画素信号を供給する。これにより、選択された１水平ラインに係る画素に画素信号が書き込まれる。表示装置は、このような画素信号の書き込み動作を、表示面全面にわたり順次走査しつつ行うことにより、画像を表示するようになっている。
【先行技術文献】
【特許文献】
【０００４】
【特許文献１】特開２０１０−２５００３０号公報
【特許文献２】特開２０１１−７６７０８号公報
【発明の概要】
【発明が解決しようとする課題】
【０００５】
ところで、表示装置では、表示面全面にわたって線順次走査する際、中断および再開を繰り返すことにより間欠的に線順次走査を行う場合がある。このような場合でも、画質の低下を抑えることが望まれる。
【０００６】
本開示は、間欠的に線順次走査を行う場合に、画質の低下を抑えることができる表示装置および電子機器を提供することを目的とする。
【課題を解決するための手段】
【０００７】
本開示の表示装置は、走査信号が印加される複数の走査信号線を有する表示部と、入力されたシフト信号を一時的に保持し、中断期間を有するクロック信号に同期して、該シフト信号を次段へ順次伝達するシフト動作を行う複数段の転送回路を有し、前記シフト信号を保持する転送回路に対応する走査信号線へ前記走査信号を出力するシフトレジスタと、前記クロック信号の前記中断期間に、前記シフト信号を保持する転送回路に該シフト信号の電位を保持するための電位保持信号を伝達する信号線と、を備える。
【０００８】
本開示の電子機器は、前述した表示装置と、前記表示装置に入力信号を供給する制御装置とを有する。
【０００９】
本開示の表示装置および電子機器は、クロック信号の中断期間に、電位保持信号線を介して電位保持信号を転送回路に与え、転送回路に設定されている電位を保つことを実現できる。その結果、表示装置および電子機器は、間欠的に線順次走査を行う場合に、画質の低下を抑えることができる。
【発明の効果】
【００１０】
本開示によれば、間欠的に線順次走査を行う場合に、画質の低下を抑えることができる表示装置および電子機器を提供することができる。
【図面の簡単な説明】
【００１１】
【図１】図１は、表示装置におけるタッチ検出方式の基本原理を説明するための図であり、指が接触または近接していない状態を表す図である。
【図２】図２は、指が接触または近接した状態を表す図である。
【図３】図３は、駆動信号およびタッチ検出信号の波形の一例を表す図である。
【図４】図４は、実施の形態に係る表示装置の一構成例を表すブロック図である。
【図５】図５は、図４に示したタッチセンサ付き表示部の概略断面構造を表す断面図である。
【図６】図６は、図４に示したタッチセンサ付き表示部における画素配列を表す回路図である。
【図７】図７は、図４に示したタッチセンサ付き表示部における駆動電極およびタッチ検出電極の一構成例を表す斜視図である。
【図８】図８は、実施の形態に係るゲートドライバの一構成例を表すブロック図である。
【図９】図９は、図８に示した転送回路の一構成例を表す回路図である。
【図１０】図１０は、図８に示した、電位保持信号が入力される転送回路の一構成例を表す回路図である。
【図１１】図１１は、図８のシフトレジスタの動作の一例を表すタイミング波形図である。
【図１２】図１２は、図４に示した表示装置の一動作例を示すブロック図である。
【図１３】図１３は、図４に示した表示装置の表示動作の一例を表すタイミング波形図である。
【図１４】図１４は、図４に示した表示装置のタッチ検出動作の一例を表すタイミング波形図である。
【図１５】図１５は、図１４に示したシフトレジスタの一動作例を表すタイミング波形図である。
【図１６】図１６は、ゲートドライバの変形例を表すブロック図である。
【図１７】図１７は、図１６に示したゲートドライバにおいて電位保持信号が入力される転送回路の動作について説明するための図である。
【図１８】図１８は、光照射時のＴＦＴの動作特性例を示す図である。
【図１９】図１９は、シフトレジスタの動作の変形例を表すタイミング波形図である。
【図２０】図２０は、実施の形態等の表示装置が適用される電子機器の外観例を表す図である。
【図２１】図２１は、実施の形態等の表示装置が適用される電子機器の外観例を表す図である。
【図２２】図２２は、実施の形態等の表示装置が適用される電子機器の外観例を表す図である。
【図２３】図２３は、実施の形態等の表示装置が適用される電子機器の外観例を表す図である。
【図２４】図２４は、実施の形態等の表示装置が適用される電子機器の外観例を表す図である。
【図２５】図２５は、実施の形態等の表示装置が適用される電子機器の外観例を表す図である。
【図２６】図２６は、実施の形態等の表示装置が適用される電子機器の外観例を表す図である。
【図２７】図２７は、実施の形態等の表示装置が適用される電子機器の外観例を表す図である。
【図２８】図２８は、実施の形態等の表示装置が適用される電子機器の外観例を表す図である。
【図２９】図２９は、実施の形態等の表示装置が適用される電子機器の外観例を表す図である。
【図３０】図３０は、実施の形態等の表示装置が適用される電子機器の外観例を表す図である。
【図３１】図３１は、実施の形態等の表示装置が適用される電子機器の外観例を表す図である。
【図３２】図３２は、実施の形態等の表示装置が適用される電子機器の外観例を表す図である。
【図３３】図３３は、タッチセンサ付き表示部の概略断面構造の変形例を表す断面図である。
【発明を実施するための形態】
【００１２】
以下、本開示の実施の形態について、図面を参照して詳細に説明する。なお、説明は以下の順序で行う。
１．静電容量式タッチ検出の基本原理
２．実施の形態
３．適用例
【００１３】
＜１．静電容量式タッチ検出の基本原理＞
まず最初に、図１〜図３を参照して、表示装置におけるタッチ検出の基本原理について説明する。このタッチ検出方式は、静電容量式のタッチセンサとして具現化されるものであり、例えば図１（Ａ）に示したように、誘電体Ｄを挟んで互いに対向配置された一対の電極（駆動電極Ｅ１およびタッチ検出電極Ｅ２）を用い、容量素子を構成する。この構造は、図１（Ｂ）に示した等価回路として表される。駆動電極Ｅ１、タッチ検出電極Ｅ２および誘電体Ｄによって、容量素子Ｃ１が構成される。容量素子Ｃ１は、その一端が交流信号源（駆動信号源）Ｓに接続され、他端Ｐは抵抗器Ｒを介して接地されると共に、電圧検出器（タッチ検出回路）ＤＥＴに接続される。交流信号源Ｓから駆動電極Ｅ１（容量素子Ｃ１の一端）に所定の周波数（例えば数ｋＨｚ〜数十ｋＨｚ程度）の交流矩形波Ｓｇ（図３（Ｂ））を印加すると、タッチ検出電極Ｅ２（容量素子Ｃ１の他端Ｐ）に、図３（Ａ）に示したような出力波形（タッチ検出信号Ｖdet）が現れる。なお、この交流矩形波Ｓｇは、後述する交流駆動信号ＶcomACに相当するものである。
【００１４】
指が接触（または近接）していない状態では、図１に示したように、容量素子Ｃ１に対する充放電に伴って、容量素子Ｃ１の容量値に応じた電流Ｉ０が流れる。このときの容量素子Ｃ１の他端Ｐの電位波形は、例えば図３（Ａ）の波形Ｖ０のようになり、これが電圧検出器ＤＥＴによって検出される。
【００１５】
一方、指が接触（または近接）した状態では、図２（Ａ）、（Ｂ）に示したように、指によって形成される容量素子Ｃ２が容量素子Ｃ１に直列に追加された形となる。この状態では、容量素子Ｃ１、Ｃ２に対する充放電に伴って、それぞれ電流Ｉ１、Ｉ２が流れる。このときの容量素子Ｃ１の他端Ｐの電位波形は、例えば図３（Ａ）の波形Ｖ１のようになり、これが電圧検出器ＤＥＴによって検出される。このとき、他端Ｐの電位は、容量素子Ｃ１、Ｃ２を流れる電流Ｉ１、Ｉ２の値によって定まる分圧電位となる。このため、波形Ｖ１は、非接触状態での波形Ｖ０よりも小さい値となる。電圧検出器ＤＥＴは、検出した電圧を所定のしきい値電圧Ｖthと比較し、このしきい値電圧Ｖth以上であれば非接触状態と判断する一方、しきい値電圧Ｖth未満であれば接触状態と判断する。このようにして、タッチ検出が可能となる。
【００１６】
＜２．実施の形態＞
［構成例］
（全体構成例）
図４は、本開示の実施の形態に係る表示装置１の一構成例を表すものである。この表示装置１は、液晶表示パネルと静電容量式のタッチパネルとを一体化した、いわゆるインセルタイプの表示装置である。
【００１７】
この表示装置１は、制御部１１と、ゲートドライバ１２と、ソースドライバ１３と、駆動電極ドライバ１４と、タッチセンサ付き表示部１５と、タッチ検出部１８とを備えている。
【００１８】
制御部１１は、制御装置２から供給される映像信号Ｖdispに基づいて、ゲートドライバ１２、ソースドライバ１３、駆動電極ドライバ１４、およびタッチ検出部１８に対してそれぞれ制御信号を供給し、これらがお互いに同期して動作するように制御する回路である。
【００１９】
ゲートドライバ１２は、制御部１１から供給される制御信号に基づいて、タッチセンサ付き表示部１５の表示駆動の対象となる１水平ラインを順次選択する、走査線信号駆動回路としての機能を有している。具体的には、ゲートドライバ１２は、後述するように、走査信号ＶＧをタッチセンサ付き表示部１５に供給することにより、タッチセンサ付き表示部１５の液晶表示部１６（後述）にマトリックス状に形成されている画素Ｐixのうちの１行（１水平ライン）を表示駆動の対象として順次選択するようになっている。
【００２０】
ソースドライバ１３は、制御部１１から供給される制御信号に基づいて、液晶表示部１６の各画素Ｐix（後述）に画素信号Ｖsigを供給する回路である。具体的には、ソースドライバ１３は、後述するように、画素信号Ｖsigを、表示駆動の対象として選択された１水平ラインを構成する各画素Ｐixにそれぞれ供給するものである。
【００２１】
駆動電極ドライバ１４は、制御部１１から供給される制御信号に基づいて、タッチセンサ付き表示部１５の駆動電極ＣＯＭＬ（後述）に駆動信号Ｖcomを供給する回路である。具体的には、駆動電極ドライバ１４は、後述するように、タッチ検出駆動の対象となる駆動電極ＣＯＭＬに対して、交流駆動信号ＶcomAC（後述）を時分割的に順次印加すると共に、それ以外の駆動電極ＣＯＭＬに対して、直流駆動信号ＶcomDC（後述）を印加するようになっている。
【００２２】
タッチセンサ付き表示部１５は、タッチセンサを内蔵した表示部であり、液晶表示部１６と、タッチセンサ部１７とを有する。液晶表示部１６は、ゲートドライバ１２から供給される走査信号ＶＧに従って、１水平ラインずつ順次走査して表示を行うものである。タッチセンサ部１７は、上述した静電容量式タッチ検出の基本原理に基づいて動作するものであり、駆動電極ドライバ１４から供給される交流駆動信号ＶcomACに応じてタッチ検出信号Ｖdetを出力することにより、順次走査してタッチ検出を行うようになっている。
【００２３】
タッチ検出部１８は、制御部１１から供給される制御信号と、タッチセンサ部１７から供給されたタッチ検出信号Ｖdetに基づいて、外部近接物体を検出するものである。
【００２４】
この構成により、表示装置１は、映像信号Ｖdispに基づいて表示動作を行いつつ、タッチ検出動作を行う。その際、表示装置１は、後述するように、線順次走査を行うことにより表示動作を行うと共に、表示動作を中断している期間においてタッチ検出動作を行うようになっている。
【００２５】
（タッチセンサ付き表示部１５）
次に、タッチセンサ付き表示部１５の構成例を詳細に説明する。
【００２６】
図５は、タッチセンサ付き表示部１５の要部断面構造の例を表すものである。このタッチセンサ付き表示部１５は、画素基板２０と、この画素基板２０に対向して配置された対向基板３０と、画素基板２０と対向基板３０との間に挿設された液晶層９とを備えている。
【００２７】
画素基板２０は、回路基板としてのＴＦＴ基板２１と、駆動電極ＣＯＭＬと、画素電極２２とを有している。ＴＦＴ基板２１は、各種電極や配線（後述する画素信号線ＳＧＬや走査信号線ＧＣＬ等）、薄膜トランジスタ（ＴＦＴ；Thin Film Transistor）などが形成される回路基板として機能するものである。ＴＦＴ基板２１は例えばガラスにより構成されるものである。ＴＦＴ基板２１の上には、駆動電極ＣＯＭＬが形成される。駆動電極ＣＯＭＬは、複数の画素Ｐix（後述）に共通の電圧を供給するための電極である。この駆動電極ＣＯＭＬは、液晶表示動作のための共通駆動電極として機能すると共に、タッチ検出動作のための駆動電極としても機能するものである。駆動電極ＣＯＭＬの上には絶縁層２３が形成され、その上に画素電極２２が形成される。画素電極２２は、表示を行うための画素信号を供給するための電極であり、透光性を有するものである。駆動電極ＣＯＭＬおよび画素電極２２は、例えばＩＴＯ（Indium Tin Oxide）により構成される。
【００２８】
対向基板３０は、ガラス基板３１と、カラーフィルタ３２と、タッチ検出電極ＴＤＬとを有している。カラーフィルタ３２は、ガラス基板３１の一方の面に形成されている。このカラーフィルタ３２は、例えば赤（Ｒ）、緑（Ｇ）、青（Ｂ）の３色のカラーフィルタ層を周期的に配列して構成したもので、各表示画素にＲ、Ｇ、Ｂの３色が１組として対応付けられている。また、ガラス基板３１の他方の面には、タッチ検出電極ＴＤＬが形成されている。タッチ検出電極ＴＤＬは、例えばＩＴＯにより構成され、透光性を有する電極である。このタッチ検出電極ＴＤＬの上には、偏光板３５が配設されている。
【００２９】
液晶層９は、表示機能層として機能するものであり、電界の状態に応じて通過する光を変調するものである。この電界は、駆動電極ＣＯＭＬの電圧と画素電極２２の電圧との電位差により形成される。液晶層９には、ＦＦＳ（フリンジフィールドスイッチング）やＩＰＳ（インプレーンスイッチング）等の横電界モードの液晶が用いられる。
【００３０】
なお、液晶層９と画素基板２０との間、および液晶層９と対向基板３０との間には、それぞれ配向膜が配設され、また、画素基板２０の下面側には入射側偏光板が配置されるが、ここでは図示を省略している。
【００３１】
図６は、液晶表示部１６における画素構造の構成例を表すものである。液晶表示部１６は、マトリックス状に配列した複数の画素Ｐixを有している。各画素Ｐixは、３つのサブ画素ＳＰixにより構成される。この３つのサブ画素ＳＰixは、図５に示したカラーフィルタ３２の３色（ＲＧＢ）にそれぞれ対応するように配置されている。サブ画素ＳＰixは、ＴＦＴ素子Ｔｒおよび液晶素子ＬＣを有している。ＴＦＴ素子Ｔｒは、薄膜トランジスタにより構成されるものであり、この例では、ｎチャネルのＭＯＳ（Metal Oxide Semiconductor）型のＴＦＴで構成されている。ＴＦＴ素子Ｔｒのソースは画素信号線ＳＧＬに接続され、ゲートは走査信号線ＧＣＬに接続され、ドレインは液晶素子ＬＣの一端に接続されている。液晶素子ＬＣは、一端がＴＦＴ素子Ｔｒのドレインに接続され、他端が駆動電極ＣＯＭＬに接続されている。
【００３２】
サブ画素ＳＰixは、走査信号線ＧＣＬにより、液晶表示部１６の同じ行に属する他のサブ画素ＳＰixと互いに接続されている。走査信号線ＧＣＬは、ゲートドライバ１２と接続され、ゲートドライバ１２より走査信号ＶＧが供給される。また、サブ画素ＳＰixは、画素信号線ＳＧＬにより、液晶表示部１６の同じ列に属する他のサブ画素ＳＰixと互いに接続されている。画素信号線ＳＧＬは、ソースドライバ１３と接続され、ソースドライバ１３より画素信号Ｖsigが供給される。
【００３３】
さらに、サブ画素ＳＰixは、駆動電極ＣＯＭＬにより、液晶表示部１６の同じ行に属する他のサブ画素ＳＰixと互いに接続されている。駆動電極ＣＯＭＬは、駆動電極ドライバ１４と接続され、表示動作では、駆動電極ドライバ１４より直流駆動信号ＶcomDCが供給される。
【００３４】
この構成により、液晶表示部１６では、ゲートドライバ１２が走査信号線ＧＣＬを時分割的に線順次走査するように駆動することにより、１水平ラインが順次選択され、その１水平ラインに属する画素Ｐixに対して、ソースドライバ１３が画素信号Ｖsigを供給することにより、１水平ラインずつ表示が行われるようになっている。
【００３５】
図７は、タッチセンサ部１７の一構成例を斜視的に表すものである。タッチセンサ部１７は、画素基板２０に設けられた駆動電極ＣＯＭＬ、および対向基板３０に設けられたタッチ検出電極ＴＤＬにより構成されている。駆動電極ＣＯＭＬは、図７の左右方向に延在する帯状の電極パターンを有している。タッチ検出電極ＴＤＬは、駆動電極ＣＯＭＬの電極パターンの延在方向と直交する方向に延びる帯状の電極パターンを有している。タッチ検出電極ＴＤＬの各電極パターンは、タッチ検出部１８にそれぞれ接続されている。駆動電極ＣＯＭＬとタッチ検出電極ＴＤＬにより互いに交差した電極パターンは、その交差部分に静電容量を形成している。
【００３６】
この構成により、タッチセンサ部１７では、駆動電極ドライバ１４が駆動電極ＣＯＭＬに対して交流駆動信号ＶcomACを印加することにより、タッチ検出電極ＴＤＬからタッチ検出信号Ｖdetを出力し、タッチ検出が行われるようになっている。つまり、駆動電極ＣＯＭＬは、図１〜図３に示したタッチ検出の基本原理における駆動電極Ｅ１に対応し、タッチ検出電極ＴＤＬは、タッチ検出電極Ｅ２に対応するものであり、タッチセンサ部１７はこの基本原理に従ってタッチを検出するようになっている。図７に示したように、互いに交差した電極パターンは、静電容量式タッチセンサをマトリックス状に構成している。よって、タッチセンサ部１７のタッチ検出面全体にわたって走査することにより、外部近接物体の接触または近接が生じた位置の検出も可能となっている。
【００３７】
（ゲートドライバ１２）
次に、ゲートドライバ１２について説明する。ゲートドライバ１２は、間欠的に線順次走査することにより、液晶表示部１６の１水平ラインを順次選択するものである。
【００３８】
図８は、ゲートドライバ１２の一構成例を表すものである。ゲートドライバ１２は、走査制御部５１と、シフトレジスタ５２とを備えている。
【００３９】
走査制御部５１は、制御部１１より供給された図示しない制御信号に基づいて、制御信号Ｓｔｖと、クロック信号Ｃｋ１，Ｃｋ２と、電位保持信号ｐｕｌｓｅ（１），ｐｕｌｓｅ（２），…を生成し、シフトレジスタ５２に対して供給するものである。制御信号Ｓｔｖは、シフトレジスタ５２において転送される信号である。
【００４０】
クロック信号Ｃｋ１，Ｃｋ２は、シフトレジスタ５２が信号の転送動作（シフト動作）を行うためのクロック信号である。表示装置１が表示動作を中断してタッチ検出動作を行っている期間において、クロック信号Ｃｋ１，Ｃｋ２の供給は中断される。以下の説明において、クロック信号Ｃｋ１，Ｃｋ２の供給が中断される期間を、「中断期間」ということがある。
【００４１】
電位保持信号ｐｕｌｓｅ（１），ｐｕｌｓｅ（２），…は、クロック信号Ｃｋ１，Ｃｋ２の中断期間に、シフトレジスタ５２の構成要素である転送回路５０のうち、転送動作によって転送される信号を保持している転送回路５０に入力され、その転送回路５０に設定されている信号の電位を保つための信号である。電位保持信号ｐｕｌｓｅ（１），ｐｕｌｓｅ（２），…は、電位保持信号線１９（１），１９（２），…を介して、転送回路５０に入力される。
【００４２】
シフトレジスタ５２は、走査制御部５１から供給された制御信号に基づいて、液晶表示部１６の各走査信号線ＧＣＬに供給される走査信号ＶＧ（１），ＶＧ（２），…を生成するものである。このシフトレジスタ５２は、この例では、図５に示した画素基板２０上に、アモルファスシリコンにより形成されている。このシフトレジスタ５２は、転送回路５０（１），５０（２），…を有している。本例では、これら転送回路のうち、転送回路５０（４）に電位保持信号ｐｕｌｓｅ（１）が、転送回路５０（８）に、電位保持信号ｐｕｌｓｅ（２）が、それぞれ入力されている。
【００４３】
以下、走査信号ＶＧ（１）等のうちの任意の１つを表すものとして、適宜、走査信号ＶＧを用いる。同様に、転送回路５０（１）等のうちの任意の１つを表すものとして、適宜、転送回路５０を用いるものとする。同様に、電位保持信号ｐｕｌｓｅ（１）等のうちの任意の１つを表すものとして、適宜、電位保持信号ｐｕｌｓｅを用いるものとする。同様に、電位保持信号線１９（１）等のうちの任意の１つを表すものとして、適宜、電位保持信号線１９を用いるものとする。
【００４４】
転送回路５０は、入力されたシフト信号を一時的に保持し、クロック信号Ｃｋ１，Ｃｋ２に同期して、シフト信号を次段へ順次伝達するシフト動作を行うと共に、シフト信号を保持している場合にはその出力信号（走査信号ＶＧ）を、対応する走査信号線ＧＣＬに供給する回路である。ここで、シフト信号は、走査制御部５１から供給される信号であり、転送回路５０のシフト動作によって次段へ順次伝達される信号である。
【００４５】
各転送回路５０は、入力端子Ｃｋ，Ｃｋｂと、入力端子Ｓｅｔ，Ｒｅｓｅｔと、出力端子Ｏｕｔとを有している。クロック信号Ｃｋ１およびＣｋ２の中断期間にシフト信号を保持する転送回路５０には、電位保持信号線１９が接続されており、保持されているシフト信号の電位を保つための信号である電位保持信号ｐｕｌｓｅが中断期間に与えられる。
各転送回路５０の入力端子Ｃｋには、クロック信号Ｃｋ１，Ｃｋ２のうちの一方が、転送回路ごとに交互に供給される。具体的には、例えば、転送回路５０（１），５０（３），５０（５）等の入力端子Ｃｋにはクロック信号Ｃｋ１がそれぞれ供給され、転送回路５０（２），５０（４），５０（６）等の入力端子Ｃｋにはクロック信号Ｃｋ２がそれぞれ供給される。各転送回路５０の入力端子Ｃｋｂには、クロック信号Ｃｋ１，Ｃｋ２のうち、入力端子Ｃｋに入力されたものと異なる信号が供給される。具体的には、例えば、転送回路５０（１），５０（３），５０（５）等の入力端子Ｃｋｂにはクロック信号Ｃｋ２がそれぞれ供給され、転送回路５０（２），５０（４），５０（６）等の入力端子Ｃｋｂにはクロック信号Ｃｋ１がそれぞれ供給される。
【００４６】
各転送回路５０の入力端子Ｓｅｔには、図８の例では、着目した転送回路５０の上側の転送回路５０（つまり、前段の転送回路）の出力信号が供給され、入力端子Ｒｅｓｅｔには、着目した転送回路５０の下側の転送回路５０（つまり、後段の転送回路）の出力信号が供給される。
【００４７】
各転送回路５０は、入力端子Ｓｅｔまたは入力端子Ｒｅｓｅｔに入力された信号を、クロック信号Ｃｋ１，Ｃｋ２に同期して、出力端子Ｏｕｔから出力する。また、転送回路５０は、その出力信号（走査信号ＶＧ）を、隣り合う転送回路５０に供給すると共に、液晶表示部１６の走査信号線ＧＣＬに供給するようになっている。
【００４８】
図９は、転送回路５０の一構成例を表すものである。転送回路５０は、トランジスタＴｒ１〜Ｔｒ７と、容量素子Ｃ１，Ｃ２とを有している。トランジスタＴｒ１〜Ｔｒ７は、ｎチャネルのＭＯＳ型のトランジスタである。トランジスタＴｒ７は、ゲートおよびソースが入力端子Ｓｅｔに接続され、ドレインがノードＬＡＴに接続されている。トランジスタＴｒ５は、ゲートが入力端子Ｒｅｓｅｔに接続され、ソースが接地端子ＶＧＬに接続され、ドレインがノードＬＡＴに接続されている。トランジスタＴｒ４は、ゲートがノードＬＡＴに接続され、ドレインがノードＸＬＡＴに接続され、ソースが接地端子ＶＧＬに接続されている。トランジスタＴｒ６は、ゲートがノードＸＬＡＴに接続され、ドレインがノードＬＡＴに接続され、ソースが接地端子ＶＧＬに接続されている。トランジスタＴｒ２は、ゲートがノードＸＬＡＴに接続され、ドレインが出力端子Ｏｕｔに接続され、ソースが接地端子ＶＧＬに接続されている。トランジスタＴｒ１は、ゲートがノードＬＡＴに接続され、ドレインが入力端子Ｃｋに接続され、ソースが出力端子Ｏｕｔに接続されている。トランジスタＴｒ３は、ゲートが入力端子Ｃｋｂに接続され、ドレインが出力端子Ｏｕｔに接続され、ソースが接地端子ＶＧＬに接続されている。容量素子Ｃ２は、一端が入力端子Ｃｋに接続され、他端がノードＸＬＡＴに接続されている。容量素子Ｃ１は、一端がノードＬＡＴに接続され、他端が出力端子Ｏｕｔに接続されている。
【００４９】
このように構成された転送回路５０において、容量素子Ｃ１に接続されたノードＬＡＴがラッチ部として機能し、ノードＬＡＴにＨ電位が保持されている場合に、トランジスタＴｒ１がオン状態になり、出力端子Ｏｕｔから走査信号ＶＧが出力される。なお、以下の説明では、所定閾値より高い電位を「Ｈ電位」、所定閾値より低い電位を「Ｌ電位」ということがある。
【００５０】
図９に示した例は、クロック信号Ｃｋ１およびＣｋ２の中断期間にシフト信号を保持することがない段に配置される転送回路５０の構成例である。図９に示した構成の場合、転送回路５０がシフト信号を保持している状態、すなわち、ノードＬＡＴにＨ電位が保持されている状態でクロック信号Ｃｋ１およびＣｋ２の供給が中断されると、トランジスタのオフリーク等によりノードＬＡＴに保持されている電位が低下していく。ノードＬＡＴに保持されている電位が低下すると、その転送回路５０から出力される走査信号ＶＧの波形がなまって、表示品質が低下するおそれがある。
【００５１】
図１０は、クロック信号Ｃｋ１およびＣｋ２の中断期間にシフト信号を保持することがある段に配置される転送回路５０の一構成例を示す図である。図１０に示す転送回路５０は、図９に示す転送回路５０とは異なり、トランジスタＴｒ７は、ゲートが入力端子Ｓｅｔに接続され、ソースが入力端子Ｐｕｌｓｅに接続されている。また、トランジスタＴｒ５のソースおよびトランジスタＴｒ６のソースが、入力端子Ｐｕｌｓｅに接続されている。入力端子Ｐｕｌｓｅには、その転送回路５０に設定されているＨ電位を保つための電位保持信号ｐｕｌｓｅが入力される。図１０において、その他の構成は、図９を参照して説明した転送回路と同様である。
【００５２】
このような２種類の構成の転送回路５０を用いることにより、シフトレジスタ５２は、前段の転送回路から供給された信号を、後段の転送回路に転送する。以下に、このシフトレジスタ５２の動作について説明する。シフトレジスタ５２の、一番上の転送回路５０（１）の入力端子Ｓｅｔに、制御信号Ｓｔｖが供給される。
【００５３】
以下では、説明を簡略化するため、シフトレジスタ５２を構成する転送回路のうち、４段の転送回路５０（１），５０（２），５０（３），５０（４）に着目して説明する。すなわち、本例では、１段目の転送回路５０（１）から３段目の転送回路５０（３）までは、それぞれ、図９を参照して説明した構成になっている。また、４段目の転送回路５０（４）は、図１０を参照して説明した構成になっている。この４段目の転送回路５０（４）には、保持されているＨ電位を保つための電位保持信号ｐｕｌｓｅ（１）を、中断期間に与えるための電位保持信号線１９（１）が接続されている。
【００５４】
図１１は、シフトレジスタ５２の一動作例を表すものである。この例では、シフトレジスタ５２における３段目の転送回路５０（３）へ、クロック信号Ｃｋ１が入力された後、上記の中断期間となる。
【００５５】
まず、シフトレジスタ５２の１段目の転送回路５０（１）の入力端子Ｓｅｔに入力されている制御信号Ｓｔｖが立ち上がると、１段目の転送回路５０（１）のノードＬＡＴがＨ電位に設定される。その後、転送回路５０（１）の入力端子Ｃｋに入力されているクロック信号Ｃｋ１が立ち上がるタイミング（Ｌ電位からＨ電位へ遷移するタイミング）ｔ１で、転送回路５０（１）の出力端子Ｏｕｔから走査信号ＶＧ（１）が出力される。
【００５６】
転送回路５０（１）の出力端子Ｏｕｔから出力される信号は、２段目の転送回路５０（２）の入力端子Ｓｅｔにも入力される。２段目の転送回路５０（２）の入力端子Ｓｅｔに信号が入力されると、２段目の転送回路５０（２）のノードＬＡＴがＨ電位に設定される。
【００５７】
その後、転送回路５０（２）の入力端子Ｃｋに入力されているクロック信号Ｃｋ２が立ち上がるタイミングｔ２で、転送回路５０（２）の出力端子Ｏｕｔから走査信号ＶＧ（２）が出力される。
【００５８】
転送回路５０（２）の出力端子Ｏｕｔから出力される信号は、１段目の転送回路５０（１）の入力端子Ｒｅｓｅｔにも入力される。このため、転送回路５０（１）のノードＬＡＴに設定されていたＨ電位は解除され、ノードＬＡＴはＬ電位になる。さらに、転送回路５０（２）の出力端子Ｏｕｔから出力される信号は、３段目の転送回路５０（３）の入力端子Ｓｅｔにも入力される。３段目の転送回路５０（３）の入力端子Ｓｅｔに信号が入力されると、３段目の転送回路５０（３）のノードＬＡＴがＨ電位に設定される。
【００５９】
その後、転送回路５０（３）の入力端子Ｃｋに入力されているクロック信号Ｃｋ１が立ち上がるタイミングｔ３で、転送回路５０（３）の出力端子Ｏｕｔから走査信号ＶＧ（３）が出力される。
【００６０】
転送回路５０（３）の出力端子Ｏｕｔから出力される信号は、２段目の転送回路５０（２）の入力端子Ｒｅｓｅｔにも入力される。このため、転送回路５０（２）のノードＬＡＴに設定されていたＨ電位は解除され、ノードＬＡＴはＬ電位になる。さらに、転送回路５０（３）の出力端子Ｏｕｔから出力される信号は、４段目の転送回路５０（４）の入力端子Ｓｅｔにも入力される。４段目の転送回路５０（４）の入力端子Ｓｅｔに信号が入力されると、４段目の転送回路５０（４）のノードＬＡＴがＨ電位に設定される。
【００６１】
ここで、クロック信号Ｃｋ１が立ち上がるタイミングｔ３では、４段目の転送回路５０（４）の入力端子Ｐｕｌｓｅへの電位保持信号ｐｕｌｓｅ（１）が立ち上がり、図１１に示す期間Ｔが終了となるまで電位保持信号ｐｕｌｓｅ（１）は立ち下がらずにＨ電位が保たれる。図１１に示すように、クロック信号の送信が中断されてから再開されるまでの期間が、クロックの中断期間となる。図１１に示す期間Ｔでは、電位保持信号ｐｕｌｓｅ（１）がＨ電位になるため、転送回路５０（４）については、図１０中のトランジスタＴｒ７のソースおよびトランジスタＴｒ５のソースがＨ電位になる。したがって、転送回路５０（４）については、図１０中のノードＬＡＴがＨ電位に保持される。つまり、入力端子Ｐｕｌｓｅへの電位保持信号ｐｕｌｓｅ（１）がＨ電位である期間は、ノードＬＡＴに設定されているＨ電位のリーク経路が無い状態であり、このため、図１０中のノードＬＡＴがＨ電位に保持される。
【００６２】
その後、クロック信号の送信が再開され、転送回路５０（４）の入力端子Ｃｋに入力されているクロック信号Ｃｋ２が立ち上がるタイミングｔ４で、転送回路５０（４）の出力端子Ｏｕｔから走査信号ＶＧ（４）が出力される。電位保持信号ｐｕｌｓｅ（１）により転送回路５０（４）のノードＬＡＴは、中断期間においてもＨ電位に保持されるため、転送回路５０（４）は、中断期間を経た後であっても、走査信号ＶＧ（４）を好適に出力することができる。
【００６３】
［動作および作用］
続いて、本実施の形態の表示装置１の動作および作用について説明する。
【００６４】
（全体動作概要）
まず、図４を参照して、表示装置１の全体動作概要を説明する。制御部１１は、表示装置１の外部の制御装置２より供給された映像信号Ｖdispに基づいて、ゲートドライバ１２、ソースドライバ１３、駆動電極ドライバ１４、およびタッチ検出部１８に対してそれぞれ制御信号を供給し、これらがお互いに同期して動作するように制御する。ゲートドライバ１２は、タッチセンサ付き表示部１５の液晶表示部１６に走査信号ＶＧを供給し、表示駆動の対象となる１水平ラインを順次選択する。ソースドライバ１３は、画素信号Ｖsigを、選択された１水平ラインを構成する各サブ画素ＳＰixに供給する。駆動電極ドライバ１４は、タッチ検出駆動の対象となる駆動電極ＣＯＭＬに対して交流駆動信号ＶcomACを順次印加すると共に、それ以外の駆動電極ＣＯＭＬに対して直流駆動信号ＶcomDCを印加する。タッチセンサ付き表示部１５は、表示動作を行うと共にタッチ検出動作を行い、タッチ検出電極ＴＤＬからタッチ検出信号Ｖdetを出力する。タッチ検出部１８は、タッチセンサ付き表示部１５のタッチセンサ部１７から供給されたタッチ検出信号Ｖdetに基づいて、外部近接物体を検出する。
【００６５】
（詳細動作）
次に、いくつかの図を参照して、表示装置１の動作を詳細に説明する。
【００６６】
図１２は、表示装置１の１フレーム期間（１Ｆ）における動作を模式的に表すものである。この図１２において、横軸は時間を示し、縦軸は表示画面の垂直方向（走査方向）における位置を示す。なお、この図１２では、垂直ブランキング期間を省略している。
【００６７】
１フレーム期間（１Ｆ）には、表示駆動Ｄｄが行われる表示駆動期間Ｐｄと、タッチ検出駆動Ｄｔが行われるタッチ検出駆動期間Ｐｔとが、交互に配置される。この例では、タッチ検出駆動Ｄｔは、表示駆動Ｄｄの２倍の走査速度で行われる。すなわち、１フレーム期間（１Ｆ）の間に、タッチ検出面全面に対するタッチ検出動作が２回行われる。
【００６８】
まず、最初の表示駆動期間Ｐｄにおいて、ゲートドライバ１２およびソースドライバ１３は、部分表示領域ＲＤ（１）を線順次走査により駆動する（表示駆動Ｄｄ）。
【００６９】
次に、続くタッチ検出駆動期間Ｐｔにおいて、駆動電極ドライバ１４は、タッチ検出駆動の対象となる複数の駆動電極ＣＯＭＬを順次選択して、その選択された駆動電極ＣＯＭＬに対して交流駆動信号ＶcomACを供給する（タッチ検出駆動Ｄｔ）。そして、タッチ検出部１８は、その交流駆動信号ＶcomACに応じてタッチセンサ部１７から出力されるタッチ検出信号Ｖdetに基づいて、外部近接物体を検出する。
【００７０】
同様に、ゲートドライバ１２およびソースドライバ１３は、続く表示駆動期間Ｐｄにおいて、部分表示領域ＲＤ（２）に対して表示駆動Ｄｄを行い、駆動電極ドライバ１４は、続くタッチ検出駆動期間Ｐｔにおいて、引き続きタッチ検出駆動Ｄｔを行う。
【００７１】
このようにして、表示装置１は、１フレーム期間（１Ｆ）において、交互に表示駆動Ｄｄとタッチ検出駆動Ｄｔを行うことにより、表示面全面に対する表示動作を行うと共に、タッチ検出面全面に対するタッチ検出動作を行う。これにより、表示装置１では、表示駆動Ｄｄとタッチ検出駆動Ｄｔが、それぞれ別々の期間に行われるため、例えば、表示駆動Ｄｄがタッチ検出動作に与える影響を低減することができる。
【００７２】
次に、表示駆動期間Ｐｄにおける表示動作と、タッチ検出駆動期間Ｐｔにおけるタッチ検出動作を詳細に説明する。
【００７３】
図１３は、表示動作のタイミング図を表すものであり、（Ａ）は水平同期信号Ｓsyncの波形を示し、（Ｂ）は走査信号ＶＧの波形を示し、（Ｃ）は画素信号Ｖsigの波形を示し、（Ｄ）は駆動信号Ｖcomの波形を示す。
【００７４】
表示装置１では、表示駆動期間Ｐｄにおいて、駆動電極ドライバ１４が、全ての駆動電極ＣＯＭＬに対して直流駆動信号ＶcomDCを印加し（図１３（Ｄ））、ゲートドライバ１２が、走査信号線ＧＣＬに対して、１水平期間（１Ｈ）ごとに走査信号ＶＧを順次印加することにより表示走査を行う。以下に、その詳細を説明する。
【００７５】
まず、タイミングｔ１１において、水平同期信号Ｓsyncにパルスが生じ、１水平期間（１Ｈ）が開始する。
【００７６】
次に、タイミングｔ１２において、ゲートドライバ１２は、表示動作に係るｎ行目の走査信号線ＧＣＬ(n)に対して、走査信号ＶＧ(n)を印加し、走査信号ＶＧ(n)が低レベルから高レベルに変化する（図１３（Ｂ））。これにより、ゲートドライバ１２は、表示駆動の対象となる１水平ラインを選択する。
【００７７】
これと同時に、ソースドライバ１３は、画素信号線ＳＧＬに対して、画素信号Ｖsigを印加する（図１３（Ｃ））。これにより、表示駆動の対象として選択された１水平ラインに属する複数のサブ画素ＳＰixに、画素信号Ｖsigがそれぞれ印加される。
【００７８】
次に、ゲートドライバ１２は、タイミングｔ１３において、ｎ行目の走査信号線ＧＣＬの走査信号ＶＧ(n)を高レベルから低レベルに変化させる（図１３（Ｂ））。これにより、表示動作に係る１水平ラインのサブ画素ＳＰixは、画素信号線ＳＧＬから電気的に切り離される。
【００７９】
そして、タイミングｔ１４において１水平期間（１Ｈ）が終了すると共に、新たな１水平期間（１Ｈ）が開始し、次の行（ｎ＋１行目）の表示駆動が行われる。
【００８０】
これ以降、上述した動作を繰り返すことにより、表示装置１では、各表示駆動期間Ｐｄにおいて、線順次走査により、部分表示領域ＲＤにおける表示動作が行われる。
【００８１】
図１４は、タッチ検出動作のタイミング図を表すものであり、（Ａ）は駆動信号Ｖcomの波形を示し、（Ｂ）はタッチ検出信号Ｖdetの波形を示す。
【００８２】
駆動電極ドライバ１４は、タッチ検出駆動期間Ｐｔにおいて、タッチ検出駆動の対象となる複数（この例ではＮ本）の駆動電極ＣＯＭＬを順次選択して、その選択された駆動電極ＣＯＭＬに対して交流駆動信号ＶcomACを供給する。この交流駆動信号ＶcomACは、静電容量を介してタッチ検出電極ＴＤＬに伝わり、タッチ検出信号Ｖdetが変化する（図１４（Ｂ））。タッチ検出部１８は、交流駆動信号ＶcomACの各パルスに同期したサンプリングタイミングｔｓにおいて、タッチ検出信号ＶdetをＡ／Ｄ変換する（図１４（Ｂ））ことにより、タッチ検出動作を行う。
【００８３】
（ゲートドライバ１２の詳細動作）
図１５は、ゲートドライバ１２の一動作例を表すものであり、（Ａ）は制御信号Ｓｔｖの波形を示し、（Ｂ）はクロック信号Ｃｋ１の波形を示し、（Ｃ）はクロック信号Ｃｋ２の波形を示し、（Ｄ）は走査信号ＶＧ（１）〜ＶＧ（４）の波形を示し、（Ｅ）は走査信号ＶＧ（５）〜ＶＧ（８）の波形を示し、（Ｆ）は走査信号ＶＧ（９）の波形を示す。
【００８４】
ゲートドライバ１２は、表示駆動期間Ｐｄにおいて走査信号ＶＧを次々に生成して液晶表示部１６に供給する。一方、タッチ検出駆動期間Ｐｔでは、ゲートドライバ１２は、走査信号ＶＧの生成を停止する。ゲートドライバ１２は、このような走査信号ＶＧの生成を、クロック信号Ｃｋ１，Ｃｋ２により制御する。
【００８５】
まず、走査制御部５１が、タイミングｔ２０に立ち上がりタイミングｔ２１に立ち下がる制御信号Ｓｔｖを生成する（図１５（Ａ））。そして、シフトレジスタ５２の最初の転送回路５０（１）は、この制御信号Ｓｔｖをクロック信号Ｃｋ１（図１５（Ｂ））に同期して転送することにより、走査信号ＶＧ（１）を生成する（図１５（Ｄ））。そして、転送回路５０（２）は、走査信号ＶＧ（１）をクロック信号Ｃｋ２（図１５（Ｃ））に同期して転送することにより、走査信号ＶＧ（２）を生成する（図１５（Ｄ））。同様に、転送回路５０（３），５０（４）は、入力された信号をそれぞれ転送し、走査信号ＶＧ（３），ＶＧ（４）を生成する（図１５（Ｄ））。このように、転送回路５０（１）〜５０（４）は、表示駆動期間Ｐｄにおいて、走査信号ＶＧ（１）〜ＶＧ（４）を生成し、液晶表示部１６に供給する。
【００８６】
そして、走査制御部５１は、タイミングｔ２２において、クロック信号Ｃｋ１，Ｃｋ２の生成を停止した後、タイミングｔ２３において、これらの生成を再開する（図１５（Ｂ），（Ｃ））。次段以降の転送回路５０（５）〜５０（８）は、タイミングｔ２３以降に引き続き現れるクロック信号Ｃｋ１，Ｃｋ２のパルスに同期して、入力された信号をそれぞれ同様に転送する（図１５（Ｅ））。すなわち、タッチ検出駆動期間Ｐｔでは、走査制御部５１は、クロック信号Ｃｋ１，Ｃｋ２の生成を停止し、その後にこれらの生成を再開して、最初のパルスを生成する。そして、走査制御部５１は、続く表示駆動期間Ｐｄにおいて、クロック信号Ｃｋ１，Ｃｋ２を生成し続け、転送回路５０（５）〜５０（８）が、走査信号ＶＧ（５）〜ＶＧ（８）を生成し、液晶表示部１６に供給する。
【００８７】
そして、走査制御部５１は、タイミングｔ２４において、クロック信号Ｃｋ１，Ｃｋ２の生成を停止した後、タイミングｔ２５において、これらの生成を再開する（図１５（Ｂ），（Ｃ））。
【００８８】
このように、ゲートドライバ１２は、タッチ検出駆動期間Ｐｔにおいて、クロック信号Ｃｋ１，Ｃｋ２の生成を一旦停止することにより、走査信号ＶＧの生成を停止する。
【００８９】
［効果］
以上のように本実施の形態では、回路動作をとめている期間、電位保持信号を入力してリーク経路になる配線の電圧をＨ電位に設定することにより、充電したＨ電位が低下しないようにして、画質の低下を抑えることができる。
【００９０】
［変形例１］
上記したように、本例の表示装置１では、シフトレジスタ５２を構成する複数段の転送回路のうち、中断期間にシフト信号を保持することがある段に配置される転送回路に、電位保持信号を入力する。このため、例えば、複数段の転送回路について、所定段数（回路数）ごとに電位保持信号が入力される。上記の例では４段ごと（４回路ごと）に電位保持信号を入力しているが、４段（４回路）よりも少ない段ごとまたは４段（４回路）よりも多い段ごとに電位保持信号を入力してもよい。
【００９１】
［変形例２］
図８では、中断期間にシフト信号を保持することがある転送回路（図１０に示した構成の転送回路）ごとに電位保持信号線１９を独立して設ける例を示した。しかしながら、シフトレジスタの構成は、これに限定されない。例えば、図１６に示すように、図１０に示した構成の転送回路の全てが、１つの電位保持信号線１９を共用してもよい。すなわち、シフトレジスタは、中断期間において、図１０に示した構成の転送回路の全てに電位保持信号ｐｕｌｓｅが入力されるように構成されてもよい。
【００９２】
中断期間において、図１０に示した構成の転送回路の全てに電位保持信号ｐｕｌｓｅを入力する場合、図１７に示すように、走査信号を現在出力している転送回路以外は、入力端子Ｐｕｌｓｅへの電位保持信号ｐｕｌｓｅがＨ電位で、ノードＬＡＴがＬ電位になる。Ｓｅｔ端子及びＲｅｓｅｔ端子はＬ電位である。また、図１７に示すように、電位保持信号ｐｕｌｓｅがＨ電位（図１７中のＨ）であれば、オフリーク電流によりノードＬＡＴの電圧が上昇する可能性がある。
【００９３】
しかしながら、この構成であっても、例えば、図９に示した構成の転送回路のみを用いたシフトレジスタの構成と比較して、ノードＬＡＴが電流リークによってＨ電位から低下してＬ電位になるまでの時間よりも長くすることができ、動作マージンが大きい。
【００９４】
図１８に、光照射時のＴＦＴの動作特性の一例を示す。図１８において、横軸はゲート−ソース間電圧Ｖｇｓ[Ｖ]、縦軸はソース電流ＩＳ[Ａ]であり、実際の回路を構成するTFTを測定したものである。なお、測定の際には表示部のバックライトを７０００カンデラ／ｍ２とし、ＴＦＴの表面を遮光した状態で、ソース電圧ＶＳ＝５．１[Ｖ]を印加している。
【００９５】
図１８において、ゲート−ソース間電圧Ｖｇｓ＝０[Ｖ]付近では、ゲート−ソース間電圧Ｖｇｓの変化によってソース電流ＩＳは急激に変化する。
【００９６】
ここで、図９の転送回路でノードＬＡＴが電流リークによってＨ電位から低下してＬ電位になる場合、ノードＬＡＴにつながるトランジスタＴｒ５，Ｔｒ６，およびＴｒ７のゲート−ソース間電圧ＶｇｓはノードＬＡＴの電位によらず０[Ｖ]である。このため、電流がリークしても動作点は図１８のゲート−ソース間電圧Ｖｇｓ＝０[Ｖ]であり、電流リーク量は大きい。
【００９７】
一方、図１０の転送回路の場合、初期はゲート−ソース間電圧Ｖｇｓ＝０[Ｖ]だが、ノードＬＡＴが持ち上がってくると、動作点はゲート−ソース間電圧Ｖｇｓ＝０[Ｖ]以下になり、トランジスタＴｒ５，Ｔｒ６，およびＴｒ７の電流リーク量は大きく減少する。したがって、図１０の転送回路の構成によれば、図９の転送回路よりもクロック信号の中断期間を長く設定することができると考えられる。
【００９８】
発明者が行ったシミュレーションではノードＬＡＴの電圧値が上昇しても電圧値が３[Ｖ]までは、ゲート電圧がＬ電位を保った。図１８の波形を参照すると、ゲート−ソース間電圧Ｖｇｓ＝０[Ｖ]で８Ｅ−８[Ａ]のリーク電流が流れるとする。図９の転送回路の場合ではノードＬＡＴの電圧を２[Ｖ]の変動以下に抑えるなら、停止時間ｔはノードＬＡＴの容量を４[ｐＦ]として以下の式（１）のようになる。
【００９９】
ｔ＝４[ｐＦ]＊２[Ｖ]／８Ｅ−８[Ａ]＝１００[μｓ]  …（１）
【０１００】
一方、図１０の場合、動作点が少しマイナス側に行ってもよいとして、リーク電流が２Ｅ−８[Ａ]とすると、停止時間ｔはノードＬＡＴの容量を４[ｐＦ]として以下の式（２）のようになる。
【０１０１】
ｔ＝４[ｐＦ]＊２[Ｖ]／２Ｅ−８[Ａ]＝４００[μｓ]  …（２）
【０１０２】
したがって、図９の構成を採用するよりも図１０の構成を採用する方がクロックの中断期間を長く取ることができる。
【０１０３】
［変形例３］
アモルファスシリコン（ａ−Ｓｉ）によるトランジスタは、ゲートにプラス（＋）電圧を印加するとしきい値電圧Ｖｔｈがプラス方向にシフトし、マイナス（−）電圧を印加するとしきい値電圧Ｖｔｈがマイナス方向にシフトする。そして、しきい値電圧Ｖｔｈがマイナスにシフトして、トランジスタがデプレション型になることがある。
【０１０４】
ここで、上述したトランジスタＴｒ７はゲートがチャネルに対してマイナスになるタイミングはあっても、プラスになるタイミングは無く、デプレション型になる可能性がある。これを防止するために、図１１のタイミングチャートにおいて、クロック信号Ｃｋ１の立ち上がりタイミングよりも電位保持信号ｐｕｌｓｅの立ち上がりタイミングを若干遅くする。すなわち、図１９のように、クロック信号Ｃｋ１の立ち上がりタイミングｔ３よりも、電位保持信号ｐｕｌｓｅの立ち上がりタイミングｔ３’を若干遅くする。すると、トランジスタＴｒ７のゲートはＨ電位で、チャネルはＬ電位のタイミングができるので、しきい値電圧Ｖｔｈのマイナス方向へのシフトを抑えることができる。
【０１０５】
＜３．適用例＞
次に、上記実施の形態および変形例で説明した表示装置の適用例について説明する。図２０〜図３２は、実施の形態等の表示装置が適用される電子機器の外観例を表す図である。上記実施の形態等の表示装置は、テレビジョン装置、デジタルカメラ、ノート型パーソナルコンピュータ、携帯電話等の携帯端末装置あるいはビデオカメラなどのあらゆる分野の電子機器に適用することが可能である。言い換えると、上記実施の形態等の表示装置は、外部から入力された映像信号あるいは内部で生成した映像信号を、画像あるいは映像として表示するあらゆる分野の電子機器に適用することが可能である。
【０１０６】
（適用例１）
図２０に示す電子機器は、上記実施の形態等の表示装置が適用されるテレビジョン装置である。このテレビジョン装置は、例えば、フロントパネル５１１及びフィルターガラス５１２を含む映像表示画面部５１０を有しており、この映像表示画面部５１０は、上記実施の形態等の表示装置である。
【０１０７】
（適用例２）
図２１及び図２２に示す電子機器は、上記実施の形態等の表示装置が適用されるデジタルカメラである。このデジタルカメラは、例えば、フラッシュ用の発光部５２１、表示部５２２、メニュースイッチ５２３及びシャッターボタン５２４を有しており、その表示部５２２は、上記実施の形態等の表示装置である。
【０１０８】
（適用例３）
図２３に示す電子機器は、上記実施の形態等の表示装置が適用されるビデオカメラの外観を表すものである。このビデオカメラは、例えば、本体部５３１、この本体部５３１の前方側面に設けられた被写体撮影用のレンズ５３２、撮影時のスタート／ストップスイッチ５３３及び表示部５３４を有している。そして、表示部５３４は、上記の実施形態及び変形例に係る表示装置ある。
【０１０９】
（適用例４）
図２４に示す電子機器は、上記実施の形態等の表示装置が適用されるノート型パーソナルコンピュータである。このノート型パーソナルコンピュータは、例えば、本体５４１、文字等の入力操作のためのキーボード５４２及び画像を表示する表示部５４３を有しており、表示部５４３は、上記実施の形態等の表示装置である。
【０１１０】
（適用例５）
図２５〜図３１に示す電子機器は、上記実施の形態等の表示装置が適用される携帯電話機である。この携帯電話機は、例えば、上側筐体５５１と下側筐体５５２とを連結部（ヒンジ部）５５３で連結したものであり、ディスプレイ５５４、サブディスプレイ５５５、ピクチャーライト５５６及びカメラ５５７を有している。そのディスプレイ５５４又はサブディスプレイ５５５は、上記の実施形態及び変形例に係る表示装置である。
【０１１１】
（適用例６）
図３２に示す電子機器は、携帯型コンピュータ、多機能な携帯電話、音声通話可能な携帯コンピュータ又は通信可能な携帯コンピュータとして動作し、いわゆるスマートフォン、タブレット端末と呼ばれることもある、情報携帯端末である。この情報携帯端末は、例えば筐体５６１の表面に表示部５６２を有している。この表示部５６２は、上記実施の形態等の表示装置である。
【０１１２】
以上、実施の形態および電子機器への適用例を挙げて本技術を説明したが、本技術はこれらの実施の形態等には限定されず、種々の変形が可能である。
【０１１３】
例えば、上記実施の形態等では、ＦＦＳやＩＰＳ等の横電界モードの液晶を用いた液晶表示部１６とタッチセンサ部１７とを一体化したが、これに代えて、ＴＮ（ツイステッドネマティック）、ＶＡ（垂直配向）、ＥＣＢ（電界制御複屈折）等の各種モードの液晶を用いた液晶表示部とタッチセンサ部１７とを一体化してもよい。このような液晶を用いた場合には、タッチセンサ付き表示部を、図３３に示したように構成可能である。図３３は、本変形例に係るタッチセンサ付き表示部１５Ｂの要部断面構造の一例を表すものであり、画素基板２０Ｂと対向基板３０Ｂとの間に液晶層９Ｂを挟持された状態を示している。その他の各部の名称や機能等は図５の場合と同様なので、説明を省略する。この例では、図５の場合とは異なり、表示用とタッチ検出用の双方に兼用される駆動電極ＣＯＭＬは、対向基板３０Ｂに形成されている。
【０１１４】
また、例えば、上記実施の形態等では、タッチセンサは静電容量式としたが、これに限定されるものではなく、これに代えて、例えば光学式であってもよいし、抵抗膜式であってもよい。
【０１１５】
また、例えば、上記実施の形態等では、表示素子は液晶素子としたが、これに限定されるものではなく、これに代えて、例えばＥＬ（Electro Luminescence）素子であってもよい。
【０１１６】
また、例えば、上記実施の形態等では、液晶表示部１６とタッチセンサ部１７とを組み合わせ、液晶表示部１６における表示動作と、タッチセンサ部１７におけるタッチ検出動作とが互いに影響しないように、それぞれ別々の期間（表示駆動期間Ｐｄおよびタッチ検出駆動期間Ｐｔ）に動作するようにしたが、これに限定されるものではない。これに代えて、例えば、液晶表示部１６と無線通信部とを組み合わせ、液晶表示部１６における表示動作と、無線通信部における無線通信動作とが互いに影響しないように、それぞれ別々の期間（表示駆動期間Ｐｄおよび無線通信期間）に動作するようにしてもよい。
【０１１７】
なお、本技術は以下のような構成とすることができる。
【０１１８】
（１）走査信号が印加される複数の走査信号線を有する表示部と、
入力されたシフト信号を一時的に保持し、中断期間を有するクロック信号に同期して、該シフト信号を次段へ順次伝達するシフト動作を行う複数段の転送回路を有し、前記シフト信号を保持する転送回路に対応する走査信号線へ前記走査信号を出力するシフトレジスタと、
前記クロック信号の前記中断期間に、前記シフト信号を保持する転送回路に該シフト信号の電位を保持するための電位保持信号を伝達する信号線と、
を含む表示装置。
【０１１９】
（２）前記複数段の転送回路は、前記中断期間に前記シフト信号を保持することがある段に配置される第１転送回路と、前記中断期間に前記シフト信号を保持することがない段に配置される第２転送回路と、を含む
前記（１）に記載の表示装置。
【０１２０】
（３）前記転送回路は、前段の転送回路が出力する前記シフト信号および前記電位保持信号によって前記電位が設定され、かつ、設定された前記電位が次段の転送回路が出力するシフト信号によって解除されるラッチ部と、前記ラッチ部によって保持される前記電位によってオン状態になり、前記クロック信号を前記シフト信号として出力する第１スイッチ部とを備え、
前記ラッチ部は、前記電位保持信号が入力されている期間において、電流リーク経路の電位を当該電位保持信号によって保つ、
前記（１）または（２）に記載の表示装置。
【０１２１】
（４）前記転送回路は、前段の転送回路が出力する前記シフト信号によってオン状態になって前記ラッチ部に前記電位を設定するための第２スイッチ部と、後段の転送回路が出力するシフト信号によってオン状態になって前記ラッチ部に設定されている前記電位を解除する第３スイッチ部とを備え、
前記ラッチ部は、前記電位保持信号によって前記第２スイッチ部を介して前記電位が設定されている期間において、前記第３スイッチ部を通る電流リーク経路の電位を当該電位保持信号によって保つ
前記（３）に記載の表示装置。
【０１２２】
（５）前記電位保持信号が立ち上がるタイミングは、前記クロック信号が立ち上がるタイミングより遅く設定されている、
前記（１）から（４）までのいずれか１つに記載の表示装置。
【０１２３】
（６）前記第１転送回路の数は複数であり、
前記信号線は、前記第１転送回路毎に設けられる
前記（１）から（５）までのいずれか１つに記載の表示装置。
【０１２４】
（７）接触または近接を検出するタッチセンサ部をさらに備え、
前記クロック信号の中断期間は、前記タッチセンサ部が前記接触または前記近接を検出するための期間として設定されている、前記（１）から（６）までのいずれか１つに記載の表示装置。
【０１２５】
（８）前記（１）から（７）までのいずれかに記載の表示装置と、
前記表示装置に入力信号を供給する制御装置と、を有する電子機器。
【符号の説明】
【０１２６】
１  表示装置
１１  制御部
１２  ゲートドライバ
１３  ソースドライバ
１４  駆動電極ドライバ
１５  タッチセンサ付き表示部
１６  液晶表示部
１７  タッチセンサ部
１８  タッチ検出部
１９  電位保持信号線
２０  画素基板
２１  ＴＦＴ基板
２２  画素電極
２３  絶縁層
３０  対向基板
３１  ガラス基板
３２  カラーフィルタ
３５  偏光板
５０  転送回路
５１  走査制御部
５２  シフトレジスタ
【図１】
2014182203.tif 000003
【図２】
2014182203.tif 000004
【図３】
2014182203.tif 000005
【図４】
2014182203.tif 000006
【図５】
2014182203.tif 000007
【図６】
2014182203.tif 000008
【図７】
2014182203.tif 000009
【図８】
2014182203.tif 000010
【図９】
2014182203.tif 000011
【図１０】
2014182203.tif 000012
【図１１】
2014182203.tif 000013
【図１２】
2014182203.tif 000014
【図１３】
2014182203.tif 000015
【図１４】
2014182203.tif 000016
【図１５】
2014182203.tif 000017
【図１６】
2014182203.tif 000018
【図１７】
2014182203.tif 000019
【図１８】
2014182203.tif 000020
【図１９】
2014182203.tif 000021
【図２０】
2014182203.tif 000022
【図２１】
2014182203.tif 000023
【図２２】
2014182203.tif 000024
【図２３】
2014182203.tif 000025
【図２４】
2014182203.tif 000026
【図２５】
2014182203.tif 000027
【図２６】
2014182203.tif 000028
【図２７】
2014182203.tif 000029
【図２８】
2014182203.tif 000030
【図２９】
2014182203.tif 000031
【図３０】
2014182203.tif 000032
【図３１】
2014182203.tif 000033
【図３２】
2014182203.tif 000034
【図３３】
2014182203.tif 000035